(57)【要約】【課題】  フィルタ体が装着された際の上方への抜け止めを、シールパッキング等の劣化を招くことなく確実に行うことができる電気掃除機を提供すること。【解決手段】  電気掃除機１は、塵埃を集塵する集塵室１１と電動送風機１２が設置される電動機室１３とを区画する隔壁１４に、集塵室１１と電動機室１３とを連通する吸込孔１５が形成され、上下方向にスライドされて脱着可能なフィルタ体１９が吸込孔１５を覆うように装着されるものであって、フィルタ体１９は、塵埃を捕捉するフィルタ部材２０と、フィルタ部材２０を保持するフィルタ枠体２１とを備え、フィルタ枠体２１には、吸込孔１５に係止してフィルタ体１９の上方への抜けを阻止する係止部３０が設けられている。【選択図】  図５
2006149774.tif 000002
【特許請求の範囲】
【請求項１】
塵埃を集塵する集塵室と電動送風機が設置される電動機室とを区画する隔壁に、前記集塵室と前記電動機室とを連通する吸込孔が形成され、上下方向にスライドされて脱着可能なフィルタ体が前記吸込孔を覆うように装着される電気掃除機であって、
前記フィルタ体は、塵埃を捕捉するフィルタ部材と、該フィルタ部材を保持するフィルタ枠体とを備え、該フィルタ枠体には、前記吸込孔に係止して前記フィルタ体の上方への抜けを阻止する抜け止め手段が設けられていることを特徴とする電気掃除機。
【請求項２】
前記抜け止め手段は、前記フィルタ枠体から下方に延びるアーム部と、該アーム部の先端部に形成された係止突起とを備えたことを特徴とする請求項１に記載の電気掃除機。
【発明の詳細な説明】
【技術分野】
【０００１】
本発明は、集塵室と電動機室との間の吸込孔における塵埃をフィルタ体で捕捉する電機掃除機に関する。
【背景技術】
【０００２】
電気掃除機では、塵埃を集塵する集塵室と電動送風機が設置される電動機室とを区画する隔壁に両室を連通する吸込孔が形成されているが、この吸込孔を通って吸込風と一緒に塵埃が電動機室に侵入するのを防ぐために、従来より、吸込孔を覆うようにフィルタ体を取り付けてフィルタ体で塵埃を捕捉するものが知られている（例えば、特許文献１参照）。
【０００３】
この特許文献１に記載の電気掃除機では、フィルタ体の両側部には側方突起部が、また下端部には突起部が形成される一方、集塵室の吸込孔の周囲には側部リブ及び底部リブが設けられ、フィルタ体を上方から下方にスライドさせながら、側方突起部を側部リブの上端部に形成された嵌合凹部に嵌合させるとともに、突起部を底部リブと隔壁との間の凹部に嵌合させることによって、フィルタ体を集塵室内に固定するようになっている。
【０００４】
このような従来の電気掃除機では、フィルタ体は側部リブ及び底部リブによって、前後方向（吸込孔の開口方向）や左右方向には抜けることなくしっかり固定されるものの、フィルタ体が進入する側にあたる上方に対しては抜け止めがされず、フィルタ体が上方から外れてしまうおそれがある。したがって、このような上方からのフィルタ体の外れを防止するために、従来の電気掃除機では、例えば集塵室の上端縁部のシールパッキングをフィルタ体の上方まで突出させて、このシールパッキングの下面をフィルタ体の上端部に当接（又は近接）させる構造が採られている。
【０００５】
しかしながら、このような構造を備えた電気掃除機では、フィルタ体を取り外す際にはシールパッキングを下方から押し上げる（捲り上げる）ようにしてフィルタ体を無理に抜く必要があるため、シールパッキングに負荷がかかり、フィルタ体の掃除等のためにユーザがフィルタ体を取り外す機会も多い中でこのような負荷が繰り返されることにより、シールパッキングの劣化を招くおそれがある。
【特許文献１】特開２００４−２２９９６７号公報
【発明の開示】
【発明が解決しようとする課題】
【０００６】
本発明は、このような問題に鑑みてなされたもので、フィルタ体が装着された際の上方への抜け止めを、シールパッキング等の劣化を招くことなく確実に行うことができる電気掃除機を提供することを課題としている。
【課題を解決するための手段】
【０００７】
このような課題を解決するために、本発明は、塵埃を集塵する集塵室と電動送風機が設置される電動機室とを区画する隔壁に、前記集塵室と前記電動機室とを連通する吸込孔が形成され、上下方向にスライドされて脱着可能なフィルタ体が前記吸込孔を覆うように装着される電気掃除機であって、前記フィルタ体は、塵埃を捕捉するフィルタ部材と、該フィルタ部材を保持するフィルタ枠体とを備え、該フィルタ枠体には、前記吸込孔に係止して前記フィルタ体の上方への抜けを阻止する抜け止め手段が設けられていることを特徴とする。
【発明の効果】
【０００８】
本発明によれば、フィルタ体が装着された際の上方への抜け止めをシールパッキング等で行う必要がない。したがって、フィルタ体の抜け止めを確実に行いながらその取り外しによるシールパッキング等の劣化を招くこともない電気掃除機を提供することができる。
【発明を実施するための最良の形態】
【０００９】
以下、図面を参照して本発明を実施するための最良の形態について説明する。  
【００１０】
図１は本実施の形態に係る電気掃除機を示す。この電気掃除機１は、掃除機本体２と、この掃除機本体２の前方にホース接続口３を介してその一端が着脱可能に接続された集塵ホース４と、この集塵ホース４の他端に手元操作パイプ５を介して着脱可能に接続された延長管６と、この延長管６の先端に着脱可能に接続された吸込口体７とを備えている。
【００１１】
掃除機本体２は、本体ケース８の前部に上方に開放した開口が形成され、この開口に蓋体９が開閉自在にヒンジ結合されて取り付けられている。本体ケース８の開口の周縁部には、図２に示すように、例えばゴム等の弾性部材からなる環状のシールパッキン１０が装着されており、蓋体９が開口を閉塞するとこのシールパッキン１０が蓋体９と本体ケース８との間の間隙を密閉するようになっている。
【００１２】
本体ケース８の内部には、前部にホース接続口３を有する集塵室１１が、また後部に電動送風機１２が配される電動機室１３がそれぞれ形成され、これらの集塵室１１と電動機室１３とは隔壁１４によって区画されている。また、この隔壁１４には集塵室１１と電動機室１３とを連通する吸込孔１５が形成されている。隔壁１４の集塵室１１側には、吸込孔１５及びその周辺にわたって、格子状を形成する複数の格子リブ１６が形成されている。
【００１３】
集塵室１１内には集塵袋１８が装着されて、電動機室１３内に設置された電動送風機１２が吸込孔１５を通して集塵室１１に吸込負圧を作用させることによって吸込口体７から延長管６及び集塵ホース４を介して吸い込まれる塵埃は、集塵袋１８内で捕集されるようになっている。
【００１４】
吸込孔１５の前方、すなわち集塵室１１側には、集塵袋１８で捕集されなかった細塵等の集塵室１１内の塵埃が吸込風に伴って吸込孔１５から電動機室１３に紛れ込まないよう、フィルタ体１９が吸込孔１５を覆うように設けられている（図５及び図６参照）。フィルタ体１９は、吸込孔１５を通ろうとする塵埃を吸込孔１５の手前で捕捉するフィルタ部材２０と、このフィルタ部材２０を保持するフィルタ枠体２１とを備え、上下方向にスライドされて脱着自在に装着される。
【００１５】
フィルタ枠体２１は、図３及び図４に示すように、略矩形枠状の枠部２２内に複数の格子リブ２３（上下方向に延びる３本及び左右方向に延びる５本のリブ）が設けられて、略矩形格子枠状に形成されている。また、フィルタ枠体２１（枠部２２）の両側部にはそれぞれ上下方向に沿う側部突起片２４が形成され、これらの側部突起片２４は、フィルタ枠体２１の上下方向中心よりも上方に、また前後方向中心よりも後方に偏位して設けられている。一方、フィルタ枠体２１（枠部２２）の下端部には左右方向に沿う下部突起片２６が形成され、この下部突起片２６はフィルタ枠体２１の左右方向の略中心に設けられている。
【００１６】
フィルタ枠体２１の前側（集塵室１１内側）には、フィルタ体１９を着脱する際のつまみとなる把手部２７が、上下方向に延びる格子リブ２３の上下方向中心より上方の位置に突設されている。
【００１７】
フィルタ枠体２１の後ろ側（隔壁１４側）には、枠部２２からその内側に向けて、フィルタ部材２０を周辺から保持する複数の保持片２８（枠部２２の両側部からの２片及び下端部からの２片）が突設されている。これらの保持片２８と格子リブ２３との間には間隙が設けられ、この間隙にフィルタ部材２０を挟み込むことによってフィルタ部材２０がフィルタ枠体２１に保持される。
【００１８】
また、枠部２２の上端部から内側、すなわち下方に向けて２本の係止部（抜け止め手段）３０が垂設され、これらの係止部３０は、枠部２２の上端部から下方に延びるアーム部３１と、このアーム部３１の先端部で隔壁１４側に突出する断面円弧状の係止突起３２とを備える。係止部３０は保持片２８と同様、格子リブ２３との間で間隙を形成し、フィルタ部材２０をフィルタ枠体２１に取り付ける際に、フィルタ部材２０をこの間隙に挿入することによって、アーム部３１が保持片２８と同様の作用、すなわちフィルタ部材２０を格子リブ２３とで挟み込んで保持する作用を奏することが可能となる。
【００１９】
一方、集塵室１１の吸込孔１５の近傍には、図２に示すように、フィルタ体１９を吸込孔１５の前方で着脱自在に保持するフィルタ保持部３５が設けられている。このフィルタ保持部３５は、隔壁１４の吸込孔１５を挟んだ両側からそれぞれ前方に起立する側部壁３６と、吸込孔１５の前方で本体ケース８の底部３７から上方に起立する底部壁３８とを備えている。両側部壁３６間の離間距離は、フィルタ体１９の枠部２２の左右幅寸法と略同一となっている。また、側部壁３６の上端部はその前後方向中心よりも後方が切り欠かれて側部凹部３９が形成され、この側部凹部３９の前後幅寸法はフィルタ枠体２１の側部突起片２４の前後幅寸法と略同一となっている。また、底部壁３８は隔壁１４から離間して設けられ、隔壁１４と底部壁３８との間に底部凹部４０が形成されている。
【００２０】
この電気掃除機１において、フィルタ体１９を集塵室１１内に装着するには、まずユーザはフィルタ体１９の把手部２７等を持って、このフィルタ体１９を集塵室１１（本体ケース８）の開口からフィルタ保持部３５の側部壁３６の間に挿入する。このとき、側部壁３６をガイドとしてフィルタ体１９を側壁部３６に沿って下方にスライドさせて挿入する。そして、フィルタ体１９の挿入が完了すると、図５及び図６に示すように、フィルタ体１９の下部突起片２６が底部凹部４０に、またフィルタ体１９の側部突起片２４が側部凹部３９にそれぞれ嵌合し、これよりフィルタ体１９がフィルタ保持部３５によって固定され集塵室１１内に装着される。
【００２１】
ここで、下部突起片２６が底部凹部４０に、また側部突起片２４が側部凹部３９にそれぞれ嵌合すると、フィルタ体１９の係止部３０が吸込孔１５の上縁部に係止するようになっている。すなわち、フィルタ体１９の側部壁３６間への進入に従い、係止部３０の係止突起３２が隔壁１４に当接し、アーム部３１のバネ性（可撓性）によって隔壁１４側に付勢されつつ下方に摺動していく。そして、フィルタ体１９の進入が完了したところで、係止突起３２が吸込孔１５から電動機室１３側に突出して吸込孔１５の上縁部に引っ掛かり係止する。これによって、係止部３０が上方への抜け止め作用を奏する。
【００２２】
このようにフィルタ体１９が装着され、ユーザが電気掃除機１の手元操作パイプ５の操作部４１を操作すると、電動送風機１２が駆動されて集塵室１１が負圧となる。そして、この負圧により吸込口体７の吸込開口（図示略）から外気（吸込風）とともに塵埃が吸い込まれ、延長管６、集塵ホース４等を介して外気と塵埃とが集塵室１１へ導かれ、集塵袋１８内で捕集される。一方、集塵室１１内に吸い込まれた外気は集塵袋１１から吸込孔１５を通って電動機室１３内に吸い込まれた後、掃除機本体２の排気孔（図示略）から排気される。
【００２３】
この集塵室１１から電動機室１３への吸込風が流れるときに、この吸込風に混入した塵埃（集塵袋１８で捕集できなかった細かな細塵や集塵袋１８の取り替え時等に集塵室１１内に紛れ込んだ塵埃等）をフィルタ体１９が捕捉して、塵埃が電動機室１３内に入り込むのを有効に防止する。
【００２４】
フィルタ体１９は、上下方向にスライドされて脱着可能であるとともに、吸込孔１５に係止してフィルタ体１９の上方への抜けを阻止する係止部３０が設けられているため、ユーザの意図なく上方に抜けてしまうようなことがない。一方、ユーザがフィルタ体１９を掃除機本体２から取り外す場合には、ユーザがフィルタ体１９の把手部２７等を持って、スライドさせるように上方に引っ張るだけでよく、この力によって枠部２２の上端部から垂設されたアーム部３１の可撓性が作用し、係止突起３２の吸込孔１５への係止が解除される。そして、係止突起３２が隔壁１４に摺接した状態で上方にスライドされて、フィルタ体１９は取り外される。なお、係止突起３２はその断面が円弧状になっているので、フィルタ体１９が上方に引っ張られる際に、吸込孔１５の上縁部が係止突起３２の表面に沿って係止の解除がよりスムースにできるようになっている。
【００２５】
この実施の形態に係る電気掃除機１では、上下方向にスライドされて脱着可能なフィルタ体１９のフィルタ枠体２１に、吸込孔１５に係止してフィルタ体１９の上方への抜けを阻止する係止部３０が設けられているので、従来の電気掃除機のように、フィルタ体の上方への抜け止めをシールパッキング等で行う必要がない。したがって、電気掃除機１では、シールパッキン１０をフィルタ体１９の上方にかからない位置に設けることができるので、フィルタ体１９を取り外す際にシールパッキン１０に負荷をかけることがなく、フィルタ体１９の取り外しによるシールパッキン１０の劣化を招くこともない。
【００２６】
なお、本発明は上述した実施の形態に限られるものではなく、例えば本実施の形態に係る電気掃除機では係止部を２本として説明したが、必要に応じて適宜本数とすることができる。また、係止突起は吸込孔の上縁部に係止することとして説明したが、これには限定されず、例えば吸込孔をわたる格子リブに係止するものであってもよい。
【図面の簡単な説明】
【００２７】
【図１】本実施の形態に係る電気掃除機を示す斜視図である。
【図２】図１の電気掃除機の吸込孔周辺を拡大して示す断面斜視図である。
【図３】フィルタ体を示し、（ａ）はフィルタ枠体にフィルタ部材が保持された状態の斜視図であり、（ｂ）はフィルタ枠体からフィルタ部材が取り外された状態の斜視図である。
【図４】フィルタ枠体を示し、（ａ）は正面図であり、（ｂ）はＡ−Ａ位置の断面図である。
【図５】フィルタ体が取り付けられた掃除機本体の一部を断面にして示す側面図である。
【図６】フィルタ体が取り付けられた掃除機本体の一部を断面にして示す斜視図である。
【符号の説明】
【００２８】
１                電気掃除機
１１              集塵室
１２              電動送風機
１３              電動機室
１４              隔壁
１５              吸込孔
１９              フィルタ体
２０              フィルタ部材
２１              フィルタ枠体
３０              係止部（抜け止め手段）
３１              アーム部
３２              係止突起
【図１】
2006149774.tif 000003
【図２】
2006149774.tif 000004
【図３】
2006149774.tif 000005
【図４】
2006149774.tif 000006
【図５】
2006149774.tif 000007
【図６】
2006149774.tif 000008